(57)【要約】  使用者が片足で地面を蹴らずとも乗っている状態で効率的に推進力を得ることができ、しかも、安定性に優れたスケートボードを提供する。このスケートボード１は、それぞれのキャスター６、７が底面に取り付けられた前ボード２と後ボード３とを連結部材４で連結したものにおいて、連結部材４は、ブロードサイド４１ａに直交する力が加わると弾性変形する板状スプリング部４１を前後方向の少なくとも中間部分に有しており、ブロードサイド４１ａが上下方向になるように前ボード２と後ボード３とに連結されている。
2011118590.tif 000002
【特許請求の範囲】
【請求項１】
それぞれのキャスターが底面に取り付けられた前ボードと後ボードとを連結部材で連結したスケートボードにおいて、
該連結部材は、ブロードサイドに直交する力が加わると弾性変形する板状スプリング部を前後方向の少なくとも中間部分に有しており、該ブロードサイドが上下方向になるように前ボードと後ボードとに連結されていることを特徴とするスケートボード。
【請求項２】
請求項１に記載のスケートボードにおいて、
前記連結部材は、弾性を有する保護部材により密着して包囲されていることを特徴とするスケートボード。
【請求項３】
請求項１又は２に記載のスケートボードにおいて、
前記それぞれのキャスターは、回動可能な状態で前ボード又は後ボードの底面に取り付けられた第１の取付部材と、
第１の取付部材の回動軸に対する直交方向を軸方向にして回動可能な状態で第１の取付部材に取り付けられた第２の取付部材と、
第２の取付部材の回動軸と平行方向を軸方向にして回動可能なローリング部を有して第２の取付部材に取り付けられたローラーと、
第１の取付部材と第２の取付部材の間に取り付けられたスプリング部材と、を有して成ることを特徴とするスケートボード。
【発明の詳細な説明】
【技術分野】
【０００１】
本発明は、前後に分離されたボードとこれらボードを連結する連結部材とを備えるスケートボードに関する。
【背景技術】
【０００２】
現在、スケートボードは、遊具又はスポーツ用具として、或いはバランストレーニング用具として広く普及している。そして、一般的なスケートボードは、ボードとその底面の前後に設けられたキャスターとを基本構成要素としており、使用者がボードに乗り片足で地面を蹴ることによって推進力を得るとともに、使用者が左右にボードを傾斜させることによって進路を変更することができる。【０００３】
スケートボードは、従来より、さまざまな改良がなされており、ボードを前後に分離し、これら前ボードと後ボードとを連結部材により連結したものも提案或いは開発されている。例えば、特許文献１には、前ボードと後ボードとをスプリングで連結したスケートボードが記載されている。このスケートボードでは、スプリングの柔軟性と弾性力によりスケートボードの動きに幅が出るとしている。また、特許文献２には、前ボードと後ボードとを、捩じれパイプとその両側にそれと平行に配置した弾性ゴムとで連結したスケートボードが記載されている。このスケートボードでは、捩じれパイプと弾性ゴムの弾性復元力により、小さな半径での回転が可能であり、走行中に、使用者が片足で地面を蹴らずとも乗っている状態で身体の捩じれ運動だけでも推進力を得ることができるとしている。このように、ボードを前後の２枚に分離し、その前ボードと後ボードを連結部材により連結すると、連結部材の弾性力によって推進力が得られるので、使用者が初心者、熟練者のいかんに係わらず走行時間を長くすることができ、また、その推進力を得る技術の習得過程を楽しむことができる。
【先行技術文献】
【特許文献】
【０００４】
【特許文献１】実開平１−１１７３８５号公報
【特許文献２】特表２００５−５３７８２０号公報
【発明の概要】
【発明が解決しようとする課題】
【０００５】
しかしながら、特許文献１に記載のスケートボードは、使用者の足の重心がキャスターの直上の位置からずれた場合に、連結部材が上下に撓んでしまい、その反動の作用により安定して走行するのが難しくなる場合もある。また、特許文献２に記載のスケートボードは、連結部材の捩じれパイプが剛体であるので上下に撓むことはないが、推進力については改善の余地がある。【０００６】
本発明は係る事由に鑑みてなされたものであり、その目的は、使用者が片足で地面を蹴らずとも乗っている状態で効率的に推進力を得ることができ、しかも、安定性に優れたスケートボードを提供することにある。
【課題を解決するための手段】
【０００７】
上記目的を達成するために、本発明の好ましい実施形態に係るスケートボードは、それぞれのキャスターが底面に取り付けられた前ボードと後ボードとを連結部材で連結したスケートボードにおいて、該連結部材は、ブロードサイドに直交する力が加わると弾性変形する板状スプリング部を前後方向の少なくとも中間部分に有しており、該ブロードサイドが上下方向になるように前ボードと後ボードとに連結されている。【０００８】
好ましくは、前記連結部材は、弾性を有する保護部材により密着して包囲されている。【０００９】
好ましくは、前記それぞれのキャスターは、回動可能な状態で前ボード又は後ボードの底面に取り付けられた第１の取付部材と、第１の取付部材の回動軸に対する直交方向を軸方向にして回動可能な状態で第１の取付部材に取り付けられた第２の取付部材と、第２の取付部材の回動軸と平行方向を軸方向にして回動可能なローリング部を有して第２の取付部材に取り付けられたローラーと、第１の取付部材と第２の取付部材の間に取り付けられたスプリング部材と、を有して成る。
【発明の効果】
【００１０】
本発明のスケートボードによれば、板状スプリング部が横方向に弾性復元力を持って曲がるので、使用者が片足で地面を蹴らずとも乗っている状態で効率的に推進力を得ることができ、板状スプリング部が上下方向には殆ど曲がらないので、使用者の足の重心がキャスターの直上の位置からずれた場合でも、連結部材が上下に撓んだりその反動の作用により不安定になったりすることを抑制して安定性に優れたものとなる。
【図面の簡単な説明】
【００１１】
【図１】本発明の実施形態に係るスケートボード１を示すものであって、（ａ）が側面図、（ｂ）が底面図である。
【図２】同上のスケートボード１の連結部材４及び保護部材５を拡大して示すものであって、（ａ）が側面図、（ｂ）が底面図である。
【図３】同上のスケートボード１の断面を拡大して示す断面図であって、（ａ）は図１のＡ−Ａ線又はＡ’−Ａ’線でのもの、（ｂ）はＢ−Ｂ線又はＢ’−Ｂ’線でのものである。
【図４】同上のスケートボード１の連結部材４の２つの変形例４’、４’’を拡大して示す底面図である。
【図５】同上のスケートボード１のキャスター６を拡大して示すものであって、（ａ）が側面図、（ｂ）が底面図、（ｃ）がローラー６３を取り除いた状態の底面図である。
【発明を実施するための形態】
【００１２】
以下、本発明を実施するための好ましい形態について図面を参照しながら説明する。本発明の実施形態に係るスケートボード１は、図１に示すように、前ボード２と、後ボード３と、それらを連結する連結部材４と、連結部材４を包囲する保護部材５と、前ボード２と後ボード３の底面にそれぞれ取り付けられたキャスター（前キャスター６と後キャスター７）と、を有して構成されている。前ボード２と後ボード３は、所定の厚さを有し、この厚さよりも十分広い幅と長さを有している。これらのサイズ及び材質は、特に限定されるものではなく、通常のものを用いればよい。以下、この厚さ方向（図１（ａ）に示すＺ方向）を上下方向、この幅方向（図１（ｂ）に示すＹ方向）を横方向、この長さ方向（図１（ｂ）に示すＸ方向）を前後方向と呼ぶこととする。
【００１３】
連結部材４は、図２に示すように、所定の厚さ（板厚）を有し、この厚さより十分に大きい幅（板幅）でもって延伸する板状スプリング部４１から成っている。板状スプリング部４１は、ブロードサイド（板幅となる面）４１ａに直交する力が加わると弾性変形、すなわち、弾性復元力を持って曲がる一方、ナロードサイド（板厚となる面）４１ｂに直交する力が加わっても殆ど弾性変形しないものである。板状スプリング部４１は、通常、金属製（例えば、ステンレス製）である。
【００１４】
前後ボード２、３に連結した状態の板状スプリング部４１は、前後方向に延伸し、ブロードサイド４１ａが上下方向、ナロードサイド４１ｂが横方向になっている。従って、板状スプリング部４１は、横方向に、弾性変形が可能となる。板状スプリング部４１は、具体的には、その両端近傍にねじ山が形成された貫通孔４２、４３が設けられており、それらに、図３（ａ）に示すように、ボルト４４、４５が通され前後ボード２、３に締結される。
【００１５】
このような構成により、使用者がスケートボード１を地面上に置き、その上に乗って走行させたとき、前ボード２と後ボード３を板状スプリング部４１が横方向に弾性復元力を持って曲がるような位置関係にすることでエネルギーを溜め、その後の板状スプリング部４１の復元により溜めたエネルギーを推進力に変える。その一方、板状スプリング部４１は、上下方向には殆ど曲がらず、撓むことはない。それにより、使用者の足の重心が前キャスター６又は後キャスター７の直上の位置からずれた場合でも、連結部材４が上下に撓んだり、その反動の作用により不安定になったりすることを抑制して安定して走行することができる。なお、前ボード２と後ボード３が相対的に傾いたときは、板状スプリング部４１が弾性復元力を持って横方向に曲がりながら捩じれることによって推進力が得られ、上下方向には殆ど曲がらない。このように、スケートボード１は、板状スプリング部４１により、使用者が片足で地面を蹴らずとも乗っている状態で効率的に推進力を得ることができ、しかも、安定性に優れたものとなる。
【００１６】
連結部材４は、板状スプリング部４１のみで形成した例を説明したが、板状スプリング部４１が少なくとも前後方向（延伸方向）における中間部分に有しておればよく、さまざまに実施形態を変更することも可能である。例えば、図４（ａ）、（ｂ）に示す連結部材４’、４’’は、板状スプリング部４１が前後方向の中心点を含む中間部分に形成されている。連結部材４’、４’’は、上下方向に締結部材(図示せず)を通して締結するために、図４（ａ）に示すように貫通孔４２、４３から少し中心寄りを９０度捻ったり、図４（ｂ）に示すように上下方向の貫通孔４２、４３を設けた他部材４ａ’’を接合して一体にしたりしたものである。ただし、製造工程の簡単さ及び機械的強度の点においては、上記の連結部材４の方がこれらの連結部材４’、４’’よりも良い。
【００１７】
保護部材５は、物体が衝突したときなどに連結部材４が損傷を受けないように連結部材４を保護するものであり、好ましくは、弾性を有するもの（例えば、ウレタンゴム製やシリコンゴム製）とし、連結部材４の中間部分を密着して包囲するようにする。そうすると、保護部材５が連結部材４の弾性変形の抵抗として作用するので、保護部材５の弾性を調整することで、使用者の熟練度に応じた連結部材４の曲がり具合とすることができる。更に好ましくは、図１に示すように、前ボード２と後ボード３の底面側に連結部材４及び保護部材５が嵌り込む凹部２１、３１を形成し、この凹部２１、３１に保護部材５を接触するように挿入して前後ボード２、３に連結部材４が連結されるようにしてもよい。この場合、保護部材５は円筒状とし、凹部２１、３１は保護部材５が挿入される入口近傍の断面が、図３（ｂ）に示すように、円状、連結部材４だけが挿入されている奥部の断面が、図３（ａ）に示すように、長方形状とする。そうすると、連結部材４が曲がったときに、保護部材５の外側面が凹部２１、３１の内壁に支えられることにより、連結部材４の貫通孔４２、４３に局所的にかかる力を分散することができ、連結部材４の機械的強度を高めることができる。
【００１８】
前キャスター６と後キャスター７とは、同様の構造であって、前ボード２と後ボード３の底面に同様にして取り付けられ、同様に動作する。以下、前キャスター６を代表として説明する。前キャスター６は、図５に示すように、回動可能な状態で前ボード２の底面に取り付けられた第１の取付部材６１と、第１の取付部材６１の回動軸（第１の取付部材６１が回動する軸）に対する直交方向を軸方向にして回動可能な状態で第１の取付部材６１に取り付けられた第２の取付部材６２と、第２の取付部材６２の回動軸（第２の取付部材６２が回動する軸）と平行方向を軸方向にして回動可能なローリング部６３ａを有して第２の取付部材６２に取り付けられたローラー６３と、第１の取付部材６１と第２の取付部材６２の間に取り付けられたスプリング部材６４と、を有して成る。なお、図５（ｃ）は、理解を容易にするための便宜上、ローラー６３を取り除いた図である。
【００１９】
より詳細には、前ボード２の底面には軸部２２が立設されており、この軸部２２に、第１の取付部材６１、すなわちそれを含めた前キャスター６が回動可能な状態で取り付けられている。この軸部２２の立設方向が第１の取付部材６１の回動軸の方向となる。なお、軸部２２の周辺には、その軸方向と直交する方向にストッパー２２ａが突設してあり、第１の取付部材６１が所定以上に回動すると、第１の取付部材６１に設けた棒体部６１ｅに当接することにより、第１の取付部材６１の回動可能な範囲を制限する。また、スケートボード１の速度及び安定性などを考慮し、弾性材を用いることにより軸部２２に対して取付部材６１が回動すると元の通常状態に復元しようとさせたり、前ボード２の底面に対して軸部２２を傾斜させたりすることも可能である。
【００２０】
第１の取付部材６１は、具体的には、両対向片６１ａ、６１ａとこれらをつなぐ連結片６１ｂにより略コ字状を成し、連結片６１ｂにおいて軸部２２に取り付けられている。また、第１の取付部材６１は、両対向片６１ａ、６１ａのそれぞれに、直交して設けられた軸部６１ｃ、６１ｃを有している。軸部６１ｃ、６１ｃは、ナット６１ｃｂが螺着される部分にねじ山が形成されたボルト６１ｃａと、ナット６１ｃｂと、から成っている。従って、この軸部６１ｃ、６１ｃは、第１の取付部材６１の回動軸に対して直交方向に配置されることになり、これが次に述べる第２の取付部材６２の回動軸となり、第２の取付部材６２が自在に回動するように取り付けられる。
【００２１】
第２の取付部材６２は、具体的には、両対向片６２ａ、６２ａとこれらをつなぐ連結片６２ｂにより略コ字状を成し、両対向片６２ａ、６２ａの外のりが第１の取付部材６１の両対向片６１ａ、６１ａの内のりより僅かに小さくなっており、両対向片６２ａ、６２ａにおいて第１の取付部材６１の両軸部６１ｃ、６１ｃに回動可能な状態で取り付けられている。また、第２の取付部材６２は、第１の取付部材６１の両軸部６１ｃ、６１ｃから少し離れた位置に、両対向片６２ａ、６２ａの間に渡して設けられた軸部６２ｃを有している。従って、この軸部６２ｃは、第２の取付部材６２の回動軸と平行方向に配置されることになる。軸部６２ｃは、両対向片６２ａ、６２ａの間に渡されてナット６２ｃｂが螺着される部分にねじ山が形成されたボルト６２ｃａと、ナット６２ｃｂと、から成っている。
【００２２】
ローラー６３は、具体的には、ローラー軸部６３ｂと、その周囲を自在に回動可能なローリング部６３ａと、から成っている。ローラー軸部６３ｂは、第２の取付部材６２のボルト６２ｃａの周囲に固定するように取り付けられている。
【００２３】
スプリング部材６４は、具体的には、第１の取付部材６１の一部として内方に設けられた支持部６１ｄと、第２の取付部材６２の一部として内方に設けられた支持部６２ｄの間に取り付けられている。スプリング部材６４は、ローラー６３が地面から圧力を受けることにより上昇（前ボード２に接近）し、それに応じて第２の取付部材６２が第１の取付部材６１に対して回動したとき、圧縮する。なお、ボルト６４Ａが、その頭部６４Ａａを支持部６２ｄの外側にし、スプリング部材６４の中心部に挿通されて、支持部６１ｄの外側をナット６４Ｂにより、支持部６２ｄと支持部６１ｄの間に取り付けられている。このボルト６４Ａは、第１の取付部材６１に対する第２の取付部材６２の取り付け位置を安定にし、また、その頭部は、スプリング部材６４が圧縮したときには支持部６２ｄから離れ、反動により伸張したときにはストッパーとなる。
【００２４】
このような構成により、使用者がスケートボード１を地面上に置き、その上に乗って走行させたとき、スケートボード１の速度に応じてローラー６３のローリング部６３ａが回動する。また、地面の状態や使用者の重心に応じ、第２の取付部材６２が第１の取付部材６１に対して回動し、スプリング部材６４が圧縮する。このとき、スプリング部材６４は、弾性変形により、ローラー６３を介して地面から受けた力を吸収しながら縮み、力が弱まると元に戻ろうとする。その結果、地面の状態や使用者の重心の急な変化による衝撃が緩和される。また、地面の状態や使用者の重心に応じ、第１の取付部材６１は前ボード２の底面に対して回動する。
【００２５】
このように、前キャスター６（及び説明は省略したが後キャスター７）により、地面の状態や使用者の重心の急な変化による衝撃が緩和される。一方、上述のように、連結部材４の板状スプリング部４１は上下方向には殆ど弾性変形しないので、その方向の緩衝にはほとんど寄与しない。このため、第２の取付部材６２とスプリング部材６４と第１の取付部材６１による緩衝は極めて有効である。また、この緩衝は、スノーボードやサーフボートに近い感覚があるため、そのためのバランストレーニングにも適している。
【００２６】
以上、本発明の実施形態であるスケートボードについて説明したが、本発明は、実施形態に記載したものに限られることなく、請求の範囲に記載した事項の範囲内でのさまざまな設計変更が可能である。例えば、前キャスター６と後キャスター７の詳細な構造は、適宜変更可能である。また、地面の状態や使用者の重心の急な変化による衝撃が緩和される上述した利点を得ることはできないが、前キャスター６と後キャスター７の代わりに、スプリング部材６４のないような通常のものを用いることも場合によっては可能である。
【符号の説明】
【００２７】
１      スケートボード
２      前ボード
３      後ボード
４      連結部材
４１    板状スプリング部
４１ａ  板状スプリング部４１のブロードサイド
５      保護部材
６      前ボード２のキャスター
６１    キャスター６の第１の取付部材
６２    キャスター６の第２の取付部材
６３    キャスター６のローラー
６３ａ  ローラー６３のローリング部
６４    キャスター６のスプリング部材
７      後ボード３のキャスター
【図１】
2011118590.tif 000003
【図２】
2011118590.tif 000004
【図３】
2011118590.tif 000005
【図４】
2011118590.tif 000006
【図５】
2011118590.tif 000007
【国際調査報告】
2011118590.tif 000008
2011118590.tif 000009
2011118590.tif 000010
2011118590.tif 000011